(57)【要約】【課題】  受信装置において、視聴者がその嗜好に基づいて番組を選択するのにより適した番組表を作成できる、放送信号伝送方法，およびこの放送信号伝送方法によって伝送された放送信号を受信して視聴者がその嗜好に基づいて番組を選択するのにより適した番組表を作成できる受信装置を提供する。【解決手段】  映像，音声，データを含む番組、その番組に関連する情報である番組関連情報、及びそれぞれが当該番組の種類，または内容に関する情報を表示する，相互に従属関係を持たない複数のキーワードを多重化して伝送する。また、このように多重化されて伝送される放送信号を受信する装置において、上記多重化されて伝送されたキーワードに基づいてその視聴者に番組情報を提示する手段を備えた。【選択図】  図１
2004254351.tif 000002
【特許請求の範囲】
【請求項１】
番組の種類や内容に関する複数のキーワードのうちの２種のキーワードに基づき二次元的に番組を分類し配置した番組表を表示することを特徴とする受信装置。
【請求項２】
請求項１に記載の受信装置であって、
前記キーワードは放送信号に多重化され伝送される相互に従属関係を持たない複数のキーワードであって、前記多重化されて伝送されたキーワードに基づいて前記番組表を提示する手段を備えたことを特徴とする受信装置。
【請求項３】
請求項２に記載の受信装置であって、
該受信装置の過去の視聴履歴を蓄積し、過去に視聴した番組のキーワードを統計分析する手段を備え、
この統計情報と上記多重化されて伝送されたキーワードに基づいて前記番組表を提示することを特徴とする受信装置。
【請求項４】
請求項２に記載の受信装置であって、
視聴者が予め設定したキーワードと、上記多重化されて伝送されたキーワードに基づいて前記番組表を提示することを特徴とする受信装置。
【発明の詳細な説明】
【技術分野】
【０００１】
この発明は、放送信号伝送方法，および該放送信号伝送方法を用いて伝送された放送信号を受信する受信装置に関するものである。
【背景技術】
【０００２】
図１９は従来の、映像，音声及びデータをデジタル化して送り、伝送路を通して送り出されてきたものをデジタルからアナログにして表示するシステムの構成を示す図であり、図において、１０１は静止画像もしくは動画像からなる映像信号，音声信号及びデータを含む信号源、１０２は映像信号もしくは音声信号を例えばＭＰＥＧ（Moving Picture Image Coding Experts Group）に規格される情報源符号化方式に従って符号化するソースエンコード手段、１０５は伝送される番組に対して、その番組を選択するために必要な情報である番組関連情報１１２ａ（例えば番組を構成する映像，音声及びデータの種類，番組番号，開始時刻など）を生成する番組関連情報生成手段であり、通常これらの情報は、ＭＰＥＧのシステム規格書（GENERIC CODING OF MOVING PICTURES AND ASSOCIATED AUDIO : SYSTEM Recommendation H.222.0,ISO/IEC 13818-1）、及び欧州のデジタル放送規格であるＤＶＢのシステム規格書（Digital Video Broadcasting（DVB）systems,ETS 300 468,January 1996）の規格に基づいて生成される。また、１０３は符号化された信号と番組関連情報を多重化する多重化手段、１０４は伝送路の誤りに対する保護のためデータを加工する誤り訂正符号手段，およびデジタル信号を送出するためのデジタル変調手段を含むチャンネルエンコード手段である。また、１０７は送信機，実際の伝送路，チューナで構成される伝送路である。１０８はデジタル変調された信号を復調するデジタル復調手段と、伝送路１０７にて発生するデータ誤りに対する誤り訂正手段とで構成されるチャンネルデコード手段、１０９はチャンネルデコード手段１０８より出力された多重化されたデジタル信号を、符号化された信号と番組関連情報に多重分離する多重分離手段、１１０は例えばＭＰＥＧに規定される情報源符号化方式に従って符号化された信号を映像信号もしくは音声信号に復号化するソースデコード手段、１１３は伝送される番組に対して多重分離手段１０９から入力される、その番組を選択するために必要な番組関連情報を用いて番組選択，番組選択提示処理のための表示画面生成，音声合成を行う番組関連情報処理手段、１１１はソースデコード手段１１０と番組関連情報処理手段１１３で出力される映像，音声情報を合成する情報合成手段、１１２は情報合成手段１１１で合成された映像，音声及びデータを出力する信号出力機器である。
【０００３】
なお、多重化手段１０３には信号にスクランブルをかけるスクランブル機能を、また、多重分離手段１０９にはスクランブルされた信号を元の信号に戻すデスクランブル機能を内蔵してもよい。
【０００４】
次にこの図１９の従来例のシステムの動作について説明する。
信号源１０１からの静止画像もしくは動画像からなる映像信号，音声信号及びデータをソースエンコード手段１０２において、ＭＰＥＧに規定される情報源符号化方式に従って符号化し、また番組関連情報生成手段１０５でその番組を選択するために必要な情報、例えば番組を構成する情報の種類，番組番号，開始時刻などを生成し、ソースエンコード手段１０２及び番組関連情報生成手段１０５で出力される信号を多重化手段１０３を用いて多重化する。その多重化は、ＭＰＥＧのシステム規格書もしくは欧州のデジタル放送規格であるＤＶＢのシステム規格書に従って行なわれる。多重化されたデジタル信号は、伝送路の誤りに対する保護のためにデータを加工する誤り訂正符号手段及びデジタル信号を送出するためのデジタル変調手段を用いてチャンネルエンコード手段１０４で処理され、具体的には送信機，実際の伝送路，およびチューナで構成される伝送路１０７で伝送される。伝送された結果はチャンネルデコード手段１０８にてデジタル復調及び誤り訂正処理を行う。チャネルデコード手段１０８は、前記チャンネルエンコード手段１０４と逆の手続きを行なうことによって、多重化手段１０３が出力する信号と同じものを出力する。多重化分離手段１０９は、前記多重化手段１０３とは逆に、ＭＰＥＧのシステム規格書，及びＤＶＢのシステム規格書に基づいて多重分離を行い、分離された信号はソースデコード手段１１０、及び番組関連情報処理手段１１３に出力される。ソースデコード手段１１０に出力される情報は、例えばＭＰＥＧの規格に従って、映像もしくは音声信号に復号化される。番組関連情報処理手段１１３は、前記多重分離手段１０９で分離された番組関連情報をもとに、その番組を選択するために必要な番組関連情報を用いて番組選択提示処理のための表示画面生成，音声合成等を行う手段である。情報合成手段１１１は前記ソースデコード手段１１０及び番組関連情報処理手段１１３から出力される情報を合成し、信号出力機器１１２にて映像信号は例えばモニタに、音声信号は例えばスピーカに、データ信号は例えばコンピュータ等に出力される。
【０００５】
ところで、ディジタルテレビジョン放送においては、番組の主情報（映像，音声等）に番組表を作成するために必要な情報（番組表情報）を多重化して放送し、受信装置側でこの番組表情報を基に番組表を作成しこれを画面上に表示し、視聴者が画面上において番組の選択，予約を行なうＥＰＧ（Electronic Program Guide）が実用化されている。
【０００６】
たとえばＭＰＥＧ２を用いたディジタル放送では、伝送信号の規格の一つとして、欧州ＤＶＢ（Digital Video Broadcasting）があるが、このＤＶＢ規格では、視聴者が番組を選択，予約する際の手助けとなる情報として、ＳＩ（Service Information)が伝送される。これはサービス（放送局）毎に、一定時間毎に送出される情報であり、サービスを識別するためのサービスｉｄ，番組を識別するための番組ｉｄ，番組のタイトル，番組の放送開始時刻，番組の放送時間長，番組が放送されるチャンネル，及びジャンルコード等が含まれる。ここでジャンルコードは、放送される番組の種類（ジャンル）の区別を示すコードである。ＤＶＢのＳＩではジャンルコードとして、１６通りの大分類，１６通りの小分類，１６通りのユーザ分類（大），及び１６通りのユーザ分類（小）が規定されている。例えば、大分類により、「通常ＴＶ番組」，「スペシャル番組」，「スポーツ番組」，「映画」等の大項目を記述し、小分類により例えば大分類が「映画」であるものについて、「アクション映画」，「コメディ映画」，「ドキュメンタリー映画」，「ＳＦ映画」等の中項目を、大分類が「通常ＴＶ番組」であるものについて、「アクション／冒険」，「アニメ／漫画」，「コメディ／バラエティ」，「教育」等の中項目を記述する。このような番組に関するサービス情報に基づいて、視聴者が番組を選択する際の手助けとなる番組表を受信装置側で作成し、表示画面に表示する。
【０００７】
受信装置側で作成される番組表の形式としては、ＳＩに記述された番組の放送開始時刻，番組が放送されるチャンネル等を用いて、図２０に示すような、縦軸に時間を取り、横軸にチャンネルを取った番組表とするものの他、ＳＩに記述されたジャンルコードをさらに用いて、図２１に示すような、ジャンル別表示とするものが考えられている。図２１に示すようなジャンル別表示の番組表では、視聴者の嗜好により大項目→中項目→小項目（番組）のように番組の種類を絞っていくことにより、嗜好に応じた番組を効率的に選択することができる。
【発明の開示】
【発明が解決しようとする課題】
【０００８】
従来の放送信号伝送方法では、受信装置側で番組表を作成するための番組に関する付加情報として、上述のように、放送される番組の種類（ジャンル）の区別を示すコードであるジャンルコードを送るものがあるが、このジャンルコードは、一つの番組について、１つの大分類コードと１つの小分類コードというように相互に従属関係をもつ複数のコードを付すようにしているため、このジャンルコードによっては、図２１のように階層的に種類を絞って検索していく一次元的な番組表しか作成できず、視聴者の嗜好に応じた様々なジャンルの番組を一つの番組表として表示することができないという問題があった。
【０００９】
この発明は、上記のような問題点を解消するためになされたものであり、受信装置において、視聴者がその嗜好に基づいて番組を選択するのにより適した番組表を作成できる、放送信号伝送方法，およびこの放送信号伝送方法によって伝送された放送信号を受信して視聴者がその嗜好に基づいて番組を選択するのにより適した番組表を作成できる受信装置を提供することを目的とする。
【課題を解決するための手段】
【００１０】
上記課題を解決するために、本発明に係る受信装置（請求項１）は、番組の種類や内容に関する複数のキーワードのうちの２種のキーワードに基づき二次元的に番組を分類し配置した番組表を表示するようにしたものである。
【００１１】
また、本発明に係る受信装置（請求項２）は、映像，音声，データを含む番組、その番組に関連する情報である番組関連情報、及びそれぞれが当該番組の種類，または内容に関する情報を表示する，相互に従属関係を持たない複数のキーワードを多重化して伝送された放送信号を受信する受信装置であって、上記多重化されて伝送されたキーワードに基づいて二次元的に番組を分類し配置した番組表を提示する手段を備えたものである。
【００１２】
また、本発明に係る受信装置（請求項３）は、映像，音声，データを含む番組、その番組に関連する情報である番組関連情報、及びそれぞれが当該番組の種類，または内容に関する情報を表示する，相互に従属関係を持たない複数のキーワードを多重化して伝送された放送信号を受信する受信装置であって、該受信装置の過去の視聴履歴を蓄積し、過去に視聴した番組のキーワードを統計分析する手段と、この統計情報と上記多重化されて伝送されたキーワードに基づいて二次元的に番組を分類し配置した番組表を提示する手段とを備えたものである。
【００１３】
また、本発明に係る受信装置（請求項４）は、映像，音声，データを含む番組、その番組に関連する情報である番組関連情報、及びそれぞれが当該番組の種類，または内容に関する情報を表示する，相互に従属関係を持たない複数のキーワードを多重化して伝送された放送信号を受信する受信装置であって、視聴者が予め設定したキーワードと上記多重化されて伝送されたキーワードに基づいて二次元的に番組を分類し配置した番組表を提示する手段とを備えたものである。
【発明の効果】
【００１４】
以上のように、この発明（請求項１）に係る受信装置によれば、番組の種類や内容に関する複数のキーワードのうちの２種のキーワードに基づき二次元的に番組を分類し配置した番組表を表示するようにしたから、受信装置において、視聴者がその嗜好に基づいて番組を選択するのにより適した番組表を表示できる効果がある。
【００１５】
また、この発明（請求項２）に係る受信装置によれば、映像，音声，データを含む番組、その番組に関連する情報である番組関連情報、及びそれぞれが当該番組の種類，または内容に関する情報を表示する，相互に従属関係を持たない複数のキーワードを多重化して伝送された放送信号を受信する受信装置であって、上記多重化されて伝送されたキーワードに基づいて二次元的に番組を分類し配置した番組表を提示する手段を備えたから、視聴者がその嗜好に基づいて番組を容易に選択することができる効果がある。
【００１６】
また、この発明（請求項３）に係る受信装置によれば、映像，音声，データを含む番組、その番組に関連する情報である番組関連情報、及びそれぞれが当該番組の種類，または内容に関する情報を表示する，相互に従属関係を持たない複数のキーワードを多重化して伝送された放送信号を受信する受信装置であって、該受信装置の過去の視聴履歴を蓄積し、過去に視聴した番組のキーワードを統計分析する手段と、この統計情報と上記多重化されて伝送されたキーワードに基づいて二次元的に番組を分類し配置した番組表を提示する手段とを備えたから、視聴者が過去に視聴した番組の嗜好性に応じて自動的に表示される番組表により、その嗜好に基づく番組選択を容易に行なうことができる効果がある。
【００１７】
また、この発明（請求項４）に係る受信装置によれば、映像，音声，データを含む番組、その番組に関連する情報である番組関連情報、及びそれぞれが当該番組の種類，または内容に関する情報を表示する，相互に従属関係を持たない複数のキーワードを多重化して伝送された放送信号を受信する受信装置であって、視聴者が予め設定したキーワードと上記多重化されて伝送されたキーワードに基づいて二次元的に番組を分類し配置した番組表を提示する手段とを備えたから、視聴者が自己の嗜好に基づいて設定したキーワードに応じて表示される番組表により、その嗜好に基づく番組選択を容易に行なうことができる効果がある。
【発明を実施するための最良の形態】
【００１８】
（実施の形態１）
図１は本発明の実施の形態１による放送信号伝送方法，および受信装置の構成を示す図である。図において、１は信号源、２はソースエンコード手段、３は多重化手段、４はチャンネルエンコード手段、５は番組関連情報生成手段であり、それぞれ図１９の従来例における信号源１０１，ソースエンコード手段１０２，多重化手段１０３，チャンネルエンコード手段１０４，及び番組関連情報生成手段１０５と同じものである。ただし、多重化手段３は符号化された情報と番組関連情報に加えて後述するキーワードを多重化する手段である。また、７は伝送路、８はチャンネルデコード手段、９は多重分離手段、１０はソースデコード手段、１１は情報合成手段、１２は信号出力機器、１３は番組関連情報処理手段であり、それぞれ図１９の従来例における伝送路１０７，チャンネルデコード手段１０８，多重分離手段１０９，ソースデコード手段１１０，情報合成手段１１１，信号出力機器１１２，及び番組関連情報処理手段１１３と同じものである。ただし、多重分離手段９はチャンネルデコード手段８より出力された多重化されたデジタル信号を符号化された信号と番組関連情報とに加えてキーワードも多重分離する手段である。
【００１９】
また、６は伝送される番組に対してキーワードを生成するキーワード生成手段である。本実施の形態１において伝送されるキーワードは、放送される番組の種類，又は内容に応じて与えられるものであって、放送される番組がドラマ，映画，バラエティショー等のいずれであるかという従来のジャンルコードと同様の区別を示す表示ワードの他、放送される番組がファッション，グルメ，旅行，育児・教育，車等の生活様式や趣味に基づく区別の何れに属するものであるかを示す表示ワード，放送される番組が地理的にどの場所に関連するものであるかを表示する表示ワード，放送される番組に出演等している人物を表示する表示ワード等、様々な観点から番組を類別することを可能とする種々の表示ワードを含む。そしてこのキーワードは一つの番組に対して複数個付加され、この複数のキーワードは、従来例で示したジャンルコードとは異なり、相互に従属関係を持たないものである。視聴者情報提示手段１４は、前記多重分離手段９から出力されるキーワードを用いて、番組をこのキーワードに基づいて分類し、視聴者に対する番組情報提示画面を生成し、この番組情報提示画面を情報合成手段１１に出力するものである。
【００２０】
図２は図１中のキーワード生成手段６において生成されるキーワードの記述子の一例を示す図である。
【００２１】
図２中のキーワードの記述子において、まず、デスクリプタタグ（descriptor  tag）は記述子を識別するコードであり、ここではキーワードであることを示すコードである。デスクリプタレングス（descriptor  length）は直後に続くデスクリプタの長さを示すものである。
【００２２】
図３は本実施の形態１の受信装置の視聴者情報提示手段１４の詳細な構成を示す図であり、図において、ＣＰＵ（中央処理装置）１４ａは少なくとも視聴者情報提示手段１４を制御するものである。プログラムメモリ１４ｂはＣＰＵ１４ａがデータの書き込み，読み出し，検索などの制御等、ＣＰＵ１４ａに接続された各手段を制御するためのプログラムが格納されたメモリであって、通常ＲＯＭで構成される。ワークメモリ１４ｃはＣＰＵ１４ａが演算制御を行うときに一時的にデータを格納するためのメモリであって、通常ＲＡＭで構成される。キーワード入力手段１４ｇは多重分離手段９に接続され、多重分離手段９よりキーワードを入力するための手段である。番組関連情報入力手段１４ｈは多重分離手段９より番組関連情報を入力するための手段である。表示画面生成手段１４ｄは視聴者に対して番組情報を画面上に提示するための表示画面情報を生成し、情報合成手段１１へ出力する手段である。音声合成手段１４ｅは視聴者に対して番組情報を音声で提示するための音声情報を生成し、情報合成手段１１へ出力する手段である。また、個人情報蓄積手段１４ｆは視聴者の好み，嗜好などの情報を蓄積している手段である。
【００２３】
以下本発明の実施の形態１による放送信号伝送方法，および受信装置の動作について図１ないし図５を参照して説明する。
【００２４】
図１において、信号源１は映像，音声，及びデータであって、これらの信号はソースエンコード手段２においてデジタル符号化される。また番組関連情報生成手段５は前記信号源１に対して番組関連情報を生成する手段であって、生成された番組関連情報は多重化手段３においてソースエンコード手段２の出力と多重化される。これらの構成については従来例と同様である。
【００２５】
キーワード生成手段６は、前記信号源１に対してキーワードを生成する手段であって、ソースエンコード手段２の出力，番組関連情報生成手段５の出力，及びキーワード生成手段６の出力が全て多重化手段３で多重化された後、チャンネルエンコード手段４においてチャンネルエンコードされ、伝送路７を経由し、受信装置側に送られる。受信された信号は、チャンネルデコード手段８においてチャンネルデコードされ、出てきた結果は多重分離手段９において映像，音声，データについてはソースデコード手段１０に、また番組関連情報は番組関連情報処理手段１３に、番組関連情報及びキーワードは視聴者情報提示手段１４にそれぞれ出力される。情報合成手段１１は前記ソースデコード手段１０，番組関連情報処理手段１３，及び視聴者情報提示手段１４から出力される情報を合成し、信号出力機器１２に出力する。
【００２６】
ここで、視聴者情報提示手段１４についてその動作を図３及び図４を用いて説明する。まず多重分離手段９よりキーワード入力手段１４ｇを介してキーワードを入手し（ステップＳ１）、ＣＰＵ１４ａは入手されたキーワードを用いてあらかじめ設定された基準に基づいて番組を分類し、その分類結果に応じて表示画面生成手段１４ｄにて視聴者に対する番組情報提示画面を生成し、表示画面情報を情報合成手段１１に出力し（ステップＳ２）、処理を終了する。
【００２７】
図５は以上のような動作に基づいて生成され、受信装置の画面上に表示される映像情報（番組表）の一例を示す図である。この例では、第１のキーワードとして、「映画」，「ドラマ」，「バラエティ」，及び「トークショー」といった番組の種類を示すキーワードを用い、第２のキーワードとして、「ファッション」，「グルメ」，「旅行」，「育児・教育」，及び「車」といった視聴者の趣味や生活様式を考慮したキーワードを用い、これら第１，第２のキーワードを二次元的に配置して番組の分類をし、視聴者が嗜好に基づいて番組選択するのにより適した番組表としている。
【００２８】
このように本実施の形態１による放送信号伝送方法においては、映像，音声，データを含む番組、その番組に関連する情報である番組関連情報、及びそれぞれが当該番組の種類，または内容に関する情報を表示する，相互に従属関係を持たない複数のキーワードを多重化して伝送するようにしたので、従来のジャンルコードによる番組表に比して、視聴者の嗜好により番組を選択するのにより適した番組表を、受信装置の表示画面上で、視聴者に対し提供できる放送システムを実現できる。
【００２９】
また、本実施の形態１による受信装置では、映像，音声，データを含む番組、その番組に関連する情報である番組関連情報、及びそれぞれが当該番組の種類，または内容に関する情報を表示する，相互に従属関係を持たない複数のキーワードを多重化して伝送された放送信号を受信する受信装置であって、上記多重化されて伝送されたキーワードに基づいてその視聴者に番組情報を提示する手段を備えたから、嗜好に基づいて番組選択を行なうのにより適した番組表を作成し、これを表示することができ、これにより視聴者がその嗜好に基づいて番組を容易に選択することができる。
【００３０】
（実施の形態２）
次に本発明の実施の形態２について図６ないし図８を参照して説明する。
図６は実施の形態２による放送信号伝送方法，及び受信装置の構成を示す図であり、図において図１と同一符号は同一または相当部分である。また、１５は視聴情報蓄積手段であって、視聴者が視聴者情報提示手段１４がキーワードを用いて作成し出力する番組表を用いて番組選択を行ったときに選択された番組が持つキーワードを視聴情報と呼び、視聴情報蓄積手段１５は、この視聴情報を蓄積し、後述する視聴者情報提示手段１４からの要求に従って、視聴情報を視聴者情報提示手段１４に出力する手段である。
【００３１】
また、図７は本実施の形態２における視聴者情報提示手段１４の詳細な構成を示す図であり、図３と同一符号は同一または相当部分である。
【００３２】
以下、本実施の形態２における視聴者情報提示手段１４の動作を図８に示す動作フローに沿って説明する。本実施の形態２では、ＣＰＵ１４ａは多重分離手段９より入力されるキーワードをキーワード入力手段１４ｇを介して入手する（ステップＳ１）。また、ＣＰＵ１４ａは視聴者情報蓄積手段１５からの過去の視聴履歴を読み出し、過去に視聴された番組のキーワードの統計分析を行なう（ステップＳ２）。ＣＰＵ１４ａは統計分析結果より、多重分離手段９より入力されたキーワードが過去に高い頻度で視聴されたキーワードであるか否かを判断し（ステップＳ３）、高頻度に視聴されたものであると判断した場合は、多重分離手段９より番組関連情報を番組関連情報入力手段１４ｈを介して入手し、表示画面生成手段１４ｄにて視聴者に対する番組情報提示画面を生成し、表示画面情報を情報合成手段１１に出力する（ステップＳ４）。また多重分離手段９より番組関連情報を番組関連情報入力手段１４ｈを介して入手し、音声合成手段１４ｅにて視聴者に対する番組情報提示音声を生成し、音声情報を情報合成手段１１に出力する。一方、ステップＳ３において、高頻度に視聴されたものではないと判断した場合は、ここで処理を終了する。
【００３３】
このように本実施の形態２による受信装置では、映像，音声，データを含む番組、その番組に関連する情報である番組関連情報、及びそれぞれが当該番組の種類，または内容に関する情報を表示する，相互に従属関係を持たない複数のキーワードを多重化して伝送された放送信号を受信する受信装置であって、該受信装置の過去の視聴履歴を蓄積し、過去に視聴した番組のキーワードを統計分析する手段と、この統計情報と上記多重化されて伝送されたキーワードに基づいてその視聴者に番組情報を提示する手段とを備えたから、視聴者が過去に視聴した番組の嗜好性に応じて受信装置で自動的に番組表を作成し、これを「推薦番組表」として表示することができ、これにより視聴者はその嗜好に基づく番組選択を容易に行なうことができる。
【００３４】
（実施の形態３）
次に本発明の実施の形態３を図９ないし図１２を参照して説明する。
図９は実施の形態３による放送信号伝送方法，及び受信装置の構成を示す図であり、図において図１と同一符号は同一または相当部分である。また、１６は視聴者が所望のキーワードを入力するためのキーワード設定手段である。
【００３５】
本実施の形態３の放送信号伝送方法において，キーワード生成手段６で生成され番組に多重化して伝送されるキーワードは、上記実施の形態１で伝送されるキーワードと同様、放送される番組の種類，又は内容に応じて与えられるものであって、放送される番組がドラマ，映画，バラエティショー等のいずれであるかという従来のジャンルコードと同様の区別を示す表示ワードの他、放送される番組がファッション，グルメ，旅行，育児・教育，車等の生活様式や趣味に基づく区別の何れに属するものであるかを示す表示ワード，放送される番組が地理的にどの場所に関連するものであるかを表示する表示ワード，放送される番組に出演等している人物を表示する表示ワード等、様々な観点から番組を類別することを可能とする種々の表示ワードを含むものである。
【００３６】
図１０は本実施の形態３の視聴者情報提示手段１４とキーワード設定手段１６の詳細な構成を示す図であり、図３と同一符号は同一または相当部分である。
【００３７】
上述した構成を有する本実施の形態３による受信装置の動作を図１１に示す動作フロー図に沿って説明する。ＣＰＵ１４ａは多重分離手段９より入力されるキーワードをキーワード入力手段１４ｇを介して入手する（ステップＳ１）。そしてＣＰＵ１４ａは視聴者があらかじめキーワード設定手段１６に設定した所望のキーワードを取り込んで（ステップＳ２）、多重分離手段９より入力されたキーワードがキーワード設定手段１６に設定されたキーワードと一致するか否かを判断する（ステップＳ３）。そして、多重分離手段９より入力されたキーワードがキーワード設定手段１６に設定されたキーワードと一致する場合は、多重分離手段９より番組関連情報を番組関連情報入力手段１４ｈを介して入手し、表示画面生成手段１４ｄにて視聴者に対する番組情報提示画面を生成し、表示画面情報を情報合成手段１１に出力する（ステップＳ４）。また多重分離手段９より番組関連情報を番組関連情報入力手段１４ｈを介して入手し、音声合成手段１４ｅにて視聴者に対する番組情報提示音声を生成し、音声情報を情報合成手段１１に出力する。一方、ステップＳ３において、一致しないと判断した場合は、ここで処理を終了する。
【００３８】
図１２は以上のような動作に基づいて生成され、受信装置の画面上に表示される番組表の一例を示す図である。この例は、視聴者が第１のキーワードとして、「映画」，「ドラマ」等、従来のジャンルコードと同様の区別を示す表示ワードを設定し、第２のキーワードとして、「西田のぞみ」，「原田ともみ」といった番組に出演等している人物名を表示する表示ワード、及び「北海道」，「地中海」といった番組が地理的にどの場所に関連するものであるかを表示する表示ワードを設定した場合に表示される番組表の一例である。
【００３９】
このように本実施の形態３による受信装置では、映像，音声，データを含む番組、その番組に関連する情報である番組関連情報、及びそれぞれが当該番組の種類，または内容に関する情報を表示する，相互に従属関係を持たない複数のキーワードを多重化して伝送された放送信号を受信する受信装置であって、視聴者が予め設定したキーワードと上記多重化されて伝送されたキーワードに基づいてその視聴者に番組情報を提示する手段とを備えたから、視聴者がこれまでの自己の嗜好、あるいは、新たに見てみたい嗜好に基づいて設定したキーワードに応じて番組表を作成し、これを表示することができ、これにより視聴者はその嗜好に基づく番組選択を容易に行なうことができる。
【００４０】
（実施の形態４）
本発明の実施の形態４について図１３ないし図１５を用いて説明する。
図１３は実施の形態４による放送信号伝送方法，及び受信装置の構成を示す図であり、図において図１と同一符号は同一または相当部分である。また、１７は視聴者情報提示手段１４の出力に基づいて所定の番組を受信，再生するように番組関連情報処理手段１３を制御する視聴番組制御手段である。
【００４１】
本実施の形態４の放送信号伝送方法において，キーワード生成手段６で生成され番組に多重化して伝送されるキーワードは、上記実施の形態１ないし３で伝送されるキーワードと同様、放送される番組の種類，又は内容に応じて与えられるものであって、放送される番組がドラマ，映画，バラエティショー等のいずれであるかという従来のジャンルコードと同様の区別を示す表示ワードの他、放送される番組がファッション，グルメ，旅行，育児・教育，車等の生活様式や趣味に基づく区別の何れに属するものであるかを示す表示ワード，放送される番組が地理的にどの場所に関連するものであるかを表示する表示ワード，放送される番組に出演等している人物を表示する表示ワード等、様々な観点から番組を類別することを可能とする種々の表示ワードを含むものである。
【００４２】
図１４は本実施の形態４の視聴者情報提示手段１４の詳細な構成を示す図であり、図３と同一符号は同一または相当部分である。
【００４３】
上述した構成を有する本実施の形態４による受信装置の動作を図１５に示す動作フロー図に沿って説明する。本実施の形態４では、ＣＰＵ１４ａは多重分離手段９より入力されるキーワードをキーワード入力手段１４ｇを介して入手する（ステップＳ１）。また、ＣＰＵ１４ａは視聴者情報蓄積手段１５からの過去の視聴履歴を読み出し、過去に視聴された番組のキーワードの統計分析を行なう（ステップＳ２）。ＣＰＵ１４ａは統計分析結果より、多重分離手段９より入力されたキーワードが過去に高い頻度で視聴されたキーワードであるか否かを判断し（ステップＳ３）、高頻度に視聴されたものであると判断した場合は、視聴番組制御手段１７を介して視聴番組関連情報を番組関連情報処理手段１３に対して出力する（ステップＳ４）。番組関連情報処理手段１３は視聴番組制御手段１７からの情報に基づいて放送信号から当該番組の映像，音声，データ等を取得し、表示画面上に番組を表示する。一方、ステップＳ３において、高頻度に視聴されたものではないと判断した場合は、ここで処理を終了する。
【００４４】
このように本実施の形態４による受信装置では、映像，音声，データを含む番組、その番組に関連する情報である番組関連情報、及びそれぞれが当該番組の種類，または内容に関する情報を表示する，相互に従属関係を持たない複数のキーワードを多重化して伝送された放送信号を受信する受信装置であって、該受信装置の過去の視聴履歴を蓄積し、過去に視聴した番組のキーワードを統計分析する手段と、この統計情報と上記多重化されて伝送されたキーワードに基づいて複数の番組を選択的に出力する手段とを備えたから、視聴者が過去に視聴した番組の嗜好性に応じて、視聴者の嗜好に沿った複数の番組を自動的に放映でき、これにより視聴者はそのような番組を見逃すことなく視聴できる。
【００４５】
（実施の形態５）
本発明の実施の形態５について図１６ないし図１７を用いて説明する。
図１６は実施の形態５による放送信号伝送方法，及び受信装置の構成を示す図であり、図において図１と同一符号は同一または相当部分である。また、１８は視聴情報蓄積手段１５に蓄積された情報を放送の送り手に反映できるように出力する出力手段である。また、本実施の形態５における視聴者情報提示手段１４は、上記実施の形態２，または実施の形態４における視聴者情報提示手段１４と同様の構成を有する。
【００４６】
本実施の形態５の放送信号伝送方法において，キーワード生成手段６で生成され番組に多重化して伝送されるキーワードは、上記実施の形態１ないし４で伝送されるキーワードと同様、放送される番組の種類，又は内容に応じて与えられるものであって、放送される番組がドラマ，映画，バラエティショー等のいずれであるかという従来のジャンルコードと同様の区別を示す表示ワードの他、放送される番組がファッション，グルメ，旅行，育児・教育，車等の生活様式や趣味に基づく区別の何れに属するものであるかを示す表示ワード，放送される番組が地理的にどの場所に関連するものであるかを表示する表示ワード，放送される番組に出演等している人物を表示する表示ワード等、様々な観点から番組を類別することを可能とする種々の表示ワードを含むものである。
【００４７】
上述した構成を有する本実施の形態５による受信装置の動作を図１７に示す動作フロー図に沿って説明する。本実施の形態５では、視聴者情報提示手段１４のＣＰＵは視聴者情報蓄積手段１５からの過去の視聴履歴を読み出し、過去に視聴された番組のキーワードの統計分析を行ない（ステップＳ１）、統計分析の結果を出力手段１８に対して出力し、出力手段１８は視聴者情報提示手段１４より受け取った、例えば、図１８に示すような統計分析の結果を出力し（ステップＳ２）、処理を終了する。この出力情報は、電話回線，有線放送ケーブル，記録媒体（ディスク，ＩＣカード等）等を介して放送の送り手や番組スポンサーに提供される。
【００４８】
このように本実施の形態５による受信装置では、映像，音声，データを含む番組、その番組に関連する情報である番組関連情報、及びそれぞれが当該番組の種類，または内容に関する情報を表示する，相互に従属関係を持たない複数のキーワードを多重化して伝送された放送信号を受信する受信装置であって、該受信装置の過去の視聴履歴を蓄積し、過去に視聴した番組のキーワードを統計分析する手段と、その統計情報を出力する手段とを備えたから、放送の送り手が視聴者の嗜好性を知ることができ、視聴者の嗜好性に応じた番組作りが可能となるとともに、視聴者毎に個別に番組提供をする場合には、個人の嗜好に合わせたサービスの提供を可能とできる。また、番組スポンサーは、個人の嗜好に応じたコマーシャル（詳細情報をその個人に送る等）が可能になり、スポンサーおよび視聴者がともに価値を得ることができる。
【産業上の利用可能性】
【００４９】
本発明は、放送信号伝送方法，および該放送信号伝送方法を用いて伝送された放送信号を受信する受信装置等において有用である。
【図面の簡単な説明】
【００５０】
【図１】この発明の実施の形態１による放送信号伝送方法，及び受信装置の構成を示す図である。
【図２】キーワード生成手段６において生成されるキーワードの記述子の一例を示す図である。
【図３】実施の形態１の受信装置の視聴者情報提示手段１４の詳細な構成を示す図である。
【図４】実施の形態１の受信装置の動作フローを示す図である。
【図５】実施の形態１の受信装置の動作に基づいて生成され、受信装置の画面上に表示される番組表の一例を示す図である。
【図６】この発明の実施の形態２による放送信号伝送方法，及び受信装置の構成を示す図である。
【図７】実施の形態２の受信装置の視聴者情報提示手段１４の詳細な構成を示す図である。
【図８】実施の形態２の受信装置の動作フローを示す図である。
【図９】この発明の実施の形態３による放送信号伝送方法，及び受信装置の構成を示す図である。
【図１０】実施の形態３の受信装置の視聴者情報提示手段１４の詳細な構成を示す図である。
【図１１】実施の形態３の受信装置の動作フローを示す図である。
【図１２】実施の形態３の受信装置の動作に基づいて生成され、受信装置の画面上に表示される番組表の一例を示す図である。
【図１３】この発明の実施の形態４による放送信号伝送方法，及び受信装置の構成を示す図である。
【図１４】実施の形態４の受信装置の視聴者情報提示手段１４の詳細な構成を示す図である。
【図１５】実施の形態４の受信装置の動作フローを示す図である。
【図１６】この発明の実施の形態５による放送信号伝送方法，及び受信装置の構成を示す図である。
【図１７】実施の形態５の受信装置の動作フローを示す図である。
【図１８】キーワードの統計分析の結果の一例を示す図である。
【図１９】映像，音声及びデータをデジタル化して送り伝送路を通して送り出てきたものをデジタルからアナログにして表示する従来のシステムの構成を示す図である。
【図２０】従来の受信装置により作成される番組表の一例を示す図である。
【図２１】従来の受信装置により作成される番組表の他の例を示す図である。
【符号の説明】
【００５１】
１    信号源
２    ソースエンコード手段
３    多重化手段
４    チャンネルエンコード手段
５    番組関連情報生成手段
６    キーワード生成手段
７    伝送路
８    チャンネルデコード手段
９    多重分離手段
１０    ソースデコード手段
１１    情報合成手段
１２    信号出力機器
１３    番組関連情報処理手段
１４    視聴者情報提示手段
１５    視聴情報蓄積手段
１６    キーワード設定手段
１７    視聴番組制御手段
１８    出力手段
【図１】
2004254351.tif 000003
【図２】
2004254351.tif 000004
【図３】
2004254351.tif 000005
【図４】
2004254351.tif 000006
【図５】
2004254351.tif 000007
【図６】
2004254351.tif 000008
【図７】
2004254351.tif 000009
【図８】
2004254351.tif 000010
【図９】
2004254351.tif 000011
【図１０】
2004254351.tif 000012
【図１１】
2004254351.tif 000013
【図１２】
2004254351.tif 000014
【図１３】
2004254351.tif 000015
【図１４】
2004254351.tif 000016
【図１５】
2004254351.tif 000017
【図１６】
2004254351.tif 000018
【図１７】
2004254351.tif 000019
【図１８】
2004254351.tif 000020
【図１９】
2004254351.tif 000021
【図２０】
2004254351.tif 000022
【図２１】
2004254351.tif 000023